(57)【特許請求の範囲】
【請求項１】
内部に記録媒体が積載される記録媒体積載部と、
前記記録媒体積載部に対して記録媒体の幅方向に移動可能に設けられ、前記記録媒体積載部に積載された記録媒体の幅方向一端部又は両端部と当り、積載された記録媒体を揃える揃え部材と、
前記記録媒体積載部から外部に送り出される記録媒体の幅方向両端部のばりを取るばり取り装置であって、
搬送される記録媒体の幅方向の一方の端部に、回転しながら接触する第一接触部材と、
搬送される記録媒体の幅方向の他方の端部に、回転しながら接触する第二接触部材と、
前記第一接触部材及び前記第二接触部材との間で搬送される記録媒体を挟み込みながら回転する挟込部材と、
前記第一接触部材及び前記第二接触部材と前記挟込部材との間に記録媒体を挟み込むような付勢力を生じさせる付勢部材と、を備え、
前記挟込部材の回転軸線は、前記記録媒体の厚さ方向から見て、前記記録媒体の幅方向に延び、
前記第一接触部材の回転軸線は、前記記録媒体の厚さ方向から見て、前記挟込部材の回転軸線に対して一方向に傾くように傾斜し、
前記第二接触部材の回転軸線は、前記記録媒体の厚さ方向から見て、前記挟込部材の回転軸線に対して他方向に傾くように傾斜し、
前記第一接触部材及び前記第二接触部材は、回転しながら前記記録媒体を記録媒体の幅方向外側に引っ張るように配置されるばり取り装置と、
前記ばり取り装置に設けられた前記第一接触部材及び前記第二接触部材を記録媒体の幅方向の端部と接触させるように、前記揃え部材の移動と連動させて前記第一接触部材及び前記第二接触部材の内少なくとも一方を移動させる連動部材と、
を備える記録媒体供給装置。
【請求項２】
前記第一接触部材及び前記第二接触部材と前記挟込部材とが搬送される記録媒体を挟み込む挟込位置と、前記第一接触部材及び前記第二接触部材と前記挟込部材とが離間する離間位置とを切り替える切替部材を備える請求項１に記載の記録媒体供給装置。
【請求項３】
請求項１又は２に記載の記録媒体供給装置と、
記録媒体に画像を形成する画像形成部と、
前記記録媒体供給装置から供給された記録媒体を前記画像形成部に向けて搬送する搬送部材と、
を備える画像形成装置。
【発明の詳細な説明】
【技術分野】
【０００１】
本発明は、記録媒体供給装置、及び画像形成装置着に関する。
【背景技術】
【０００２】
特許文献１に記載の用紙矯正装置は、用紙の搬送経路の上部側に並べて設けられる第１矯正ロール及び第２矯正ロールと、搬送経路を挟んで第１矯正ロール及び第２矯正ロールの下部側に設けられる板材と、第１矯正ロールおよび第２矯正ロールを板材側に押しつける４本のばねとを備えている。
【０００３】
そして、第１矯正ロール及び第２矯正ロールは、それぞれ、用紙の搬送方向に平行な端部の通過位置に取り付けられている。用紙が用紙矯正装置を通過する際、用紙の両端部には第１矯正ロール及び第２矯正ロールによって所定の圧力が加えられ、両端部に存在するばりが押しつぶされるようになっている。
【先行技術文献】
【特許文献】
【０００４】
【特許文献１】特開平２００８−２５４８８７号公報
【発明の概要】
【発明が解決しようとする課題】
【０００５】
本発明の課題は、ばり取りしながら搬送される記録媒体にシワが発生するのを抑制することである。
【課題を解決するための手段】
【０００６】
本発明の請求項１に係る記録媒体供給装置は、内部に記録媒体が積載される記録媒体積載部と、前記記録媒体積載部に対して記録媒体の幅方向に移動可能に設けられ、前記記録媒体積載部に積載された記録媒体の幅方向一端部又は両端部と当り、積載された記録媒体を揃える揃え部材と、前記記録媒体積載部から外部に送り出される記録媒体の幅方向両端部のばりを取るばり取り装置であって、搬送される記録媒体の幅方向の一方の端部に、回転しながら接触する第一接触部材と、搬送される記録媒体の幅方向の他方の端部に、回転しながら接触する第二接触部材と、前記第一接触部材及び前記第二接触部材との間で搬送される記録媒体を挟み込みながら回転する挟込部材と、前記第一接触部材及び前記第二接触部材と前記挟込部材との間に記録媒体を挟み込むような付勢力を生じさせる付勢部材と、を備え、前記挟込部材の回転軸線は、前記記録媒体の厚さ方向から見て、前記記録媒体の幅方向に延び、前記第一接触部材の回転軸線は、前記記録媒体の厚さ方向から見て、前記挟込部材の回転軸線に対して一方向に傾くように傾斜し、前記第二接触部材の回転軸線は、前記記録媒体の厚さ方向から見て、前記挟込部材の回転軸線に対して他方向に傾くように傾斜し、前記第一接触部材及び前記第二接触部材は、回転しながら前記記録媒体を記録媒体の幅方向外側に引っ張るように配置されるばり取り装置と、前記ばり取り装置に設けられた前記第一接触部材及び前記第二接触部材を記録媒体の幅方向の端部と接触させるように、前記揃え部材の移動と連動させて前記第一接触部材及び前記第二接触部材の内少なくとも一方を移動させる連動部材と、を備えることを特徴とする。
【０００７】
本発明の請求項２に係る記録媒体供給装置は、請求項１に記載において、前記第一接触部材及び前記第二接触部材と前記挟込部材とが搬送される記録媒体を挟み込む挟込位置と、前記第一接触部材及び前記第二接触部材と前記挟込部材とが離間する離間位置とを切り替える切替部材を備えることを特徴とする。
【００１０】
本発明の請求項３に係る画像形成装置は、請求項１又は２に記載の記録媒体供給装置と、記録媒体に画像を形成する画像形成部と、前記記録媒体供給装置から供給された記録媒体を前記画像形成部に向けて搬送する搬送部材と、を備えることを特徴とする。
【発明の効果】
【００１１】
本発明の請求項１の記録媒体供給装置によれば、回転しながら記録媒体を幅方向外側に引っ張る第一接触部材及び第二接触部材が設けられていない場合と比して、ばり取りしながら搬送される記録媒体にシワが発生するのを抑制することができる。
【００１２】
本発明の請求項２の記録媒体供給装置によれば、第一接触部材及び第二接触部材と挟込部材とが常に接触している場合と比して、第一接触部材及び第二接触部材に対する負荷を軽減することができる。
【００１５】
本発明の請求項３の画像形成装置によれば、請求項１又は２に記載の記録媒体供給装置が設けられていない場合と比して、搬送部材が記録媒体のばりにより損傷するのを抑制することができる。
【図面の簡単な説明】
【００１６】
【図１】本発明の第１実施形態に係る記録媒体供給装置を示した斜視図である。
【図２】本発明の第１実施形態に係るばり取り装置を示した斜視図である。
【図３】本発明の第１実施形態に係るばり取り装置を示した斜視図である。
【図４】本発明の第１実施形態に係る記録媒体供給装置を示した平面図である。
【図５】本発明の第１実施形態に係る記録媒体供給装置を示した平面図である。
【図６】本発明の第１実施形態に係る記録媒体供給装置を示した平面図である。
【図７】本発明の第１実施形態に係る記録媒体供給装置を示した斜視図である。
【図８】本発明の第１実施形態に係る画像形成装置に設けられた画像形成ユニットを示した構成図である。
【図９】本発明の第１実施形態に係る画像形成装置を示した概略構成図である。
【図１０】本発明の第２実施形態に係る記録媒体供給装置を示した斜視図である。
【図１１】本発明の第２実施形態に係る記録媒体供給装置を示した平面図である。
【図１２】本発明の第２実施形態に係る記録媒体供給装置を示した平面図である。
【図１３】本発明の第３実施形態に係るばり取り装置を示した斜視図である
【発明を実施するための形態】
【００１７】
本発明の第１実施形態に係るばり取り装置、記録媒体供給装置及び画像形成装置の一例を図１〜図９に従って説明する。なお、図中に示す矢印ＵＰは、鉛直方向上方を示す。
【００１８】
（全体構成）
本実施形態に係る画像形成装置１０は、フルカラー画像又は白黒画像を形成するものであり、図９に示されるように、水平方向一側（図９における左側）部分を構成する第１処理部が収容された第１筐体１０Ａと、第１筐体１０Ａと分割可能に接続され、水平方向他側（図９における右側）部分を構成する第２処理部が収容された第２筐体１０Ｂとを備えている。
【００１９】
第２筐体１０Ｂの上部には、コンピュータ等の外部装置から送られてくる画像データに画像処理を施す画像信号処理部１３が設けられている。
【００２０】
一方、第１筐体１０Ａの上部には、第１特別色（Ｖ）、第２特別色（Ｗ）、イエロー（Ｙ）、マゼンタ（Ｍ）、シアン（Ｃ）、ブラック（Ｋ）の各トナーを収容するトナーカートリッジ１４Ｖ、１４Ｗ、１４Ｙ、１４Ｍ、１４Ｃ、１４Ｋが水平方向に沿って交換可能に設けられている。
【００２１】
なお、第１特別色及び第２特別色としては、イエロー、マゼンタ、シアン、ブラック以外の色（透明を含む）から適宜選択される。また、以後の説明では、各構成部品について第１特別色（Ｖ）、第２特別色（Ｗ）、イエロー（Ｙ）、マゼンタ（Ｍ）、シアン（Ｃ）、ブラック（Ｋ）を区別する場合は、数字の後にＶ、Ｗ、Ｙ、Ｍ、Ｃ、Ｋのいずれかの英字を付して説明し、第１特別色（Ｖ）、第２特別色（Ｗ）、イエロー（Ｙ）、マゼンタ（Ｍ）、シアン（Ｃ）、ブラック（Ｋ）を区別しない場合は、Ｖ、Ｗ、Ｙ、Ｍ、Ｃ、Ｋを省略する。
【００２２】
さらに、トナーカートリッジ１４の下側には、各色のトナーに対応する６つの画像形成ユニット１６が、各トナーカートリッジ１４と対応するように水平方向に沿って設けられている。
【００２３】
画像形成ユニット１６毎に設けられた露光装置４０は、前述した画像信号処理部１３によって画像処理を施された画像データを画像信号処理部１３から受け取り、この画像データに応じて変調した光ビームＬを後述の像保持体１８へ照射するように構成されている（図８参照）。
【００２４】
各画像形成ユニット１６は、図８に示されるように、一方向（図８における時計回り方向）に回転駆動される像保持体１８を備えている。各露光装置４０から各像保持体１８へ光ビームＬが照射されることにより、各像保持体１８には静電潜像が形成される。
【００２５】
各像保持体１８の周囲には、像保持体１８を帯電するコロナ放電方式（非接触帯電方式）のスコロトロン帯電器２０と、露光装置４０によって像保持体１８に形成された静電潜像を現像剤で現像する現像装置２２と、転写後の像保持体１８に残留する現像剤を除去する除去部材としてのブレード２４と、転写後の像保持体１８に光を照射して除電を行う除電装置２６とが設けられている。
【００２６】
スコロトロン帯電器２０、現像装置２２、ブレード２４、除電装置２６は、像保持体１８の表面と対向して、像保持体１８の回転方向上流側から下流側へ向けてこの順番で配置されている。
【００２７】
現像装置２２は、トナーを含んだ現像剤Ｇを収容する現像剤収容部材２２Ａと、現像剤収容部材２２Ａに収容された現像剤Ｇを像保持体１８に供給する現像ロール２２Ｂとを含んで構成されている。現像剤収容部材２２Ａは、トナーカートリッジ１４（図９参照）とトナー供給路（図示省略）を通して接続されており、トナーカートリッジ１４からトナーが供給されるようになっている。
【００２８】
図９に示されるように、各画像形成ユニット１６の下側には、転写部３２が設けられている。転写部３２は、各像保持体１８と接触する環状の中間転写ベルト３４と、各像保持体１８に形成されたトナー画像を中間転写ベルト３４に多重転写させる一次転写部材としての一次転写ロール３６とを含んで構成されている。
【００２９】
中間転写ベルト３４は、図示しないモータで駆動される駆動ロール３８と、中間転写ベルト３４に張力を付与する張力付与ロール４１と、後述する二次転写ロール６２に対向する対向ロール４２と、複数の巻掛ロール４４とに巻き掛けられており、駆動ロール３８により、一方向（図９における反時計回り方向）に循環移動されるようになっている。
【００３０】
各一次転写ロール３６は、中間転写ベルト３４を挟んでそれぞれの各画像形成ユニット１６の像保持体１８と対向配置されている。また、一次転写ロール３６は、給電ユニット（図示省略）によって、トナー極性とは逆極性の転写バイアス電圧が印加されるようになっている。この構成により、像保持体１８に形成されたトナー画像が中間転写ベルト３４に転写されるようになっている。
【００３１】
中間転写ベルト３４を挟んで駆動ロール３８の反対側には、ブレードを中間転写ベルト３４に接触させて、中間転写ベルト３４上の残留トナーや紙粉等を除去する除去装置４６が設けられている。
【００３２】
転写部３２の下方には、用紙等の記録媒体が収容される記録媒体供給装置５８が水平方向に沿って２個並んで設けられている。
【００３３】
各記録媒体供給装置５８には、内部に記録媒体としてのシート部材Ｐが積載される記録媒体積載部４８が設けられている。各記録媒体積載部４８は、第１筐体１０Ａから引き出し自在とされている。さらに、各記録媒体積載部４８の一端側（図９における右側）の上方には、各記録媒体積載部４８からシート部材Ｐを搬送経路６０へ送り出す送出ロール５２が設けられている。
【００３４】
また、各記録媒体積載部４８内には、シート部材Ｐが載せられる底板５０が設けられている。この底板５０は、記録媒体積載部４８が第１筐体１０Ａから引き出されると、図示せぬ制御手段の指示によって下降するようになっている。底板５０が下降することで、ユーザーがシート部材Ｐを補充する空間が記録媒体積載部４８に形成される。
【００３５】
第１筐体１０Ａから引き出された記録媒体積載部４８を第１筐体１０Ａに装着すると、底板５０が、制御手段の指示によって上昇するようになっている。底板５０が上昇することで、底板５０に載せられた最上位のシート部材Ｐと送出ロール５２とが当るようになっている。
【００３６】
さらに、送出ロール５２の記録媒体搬送方向下流側（以下、単に「下流側」という場合がある）には、記録媒体積載部４８から送り出されるシート部材Ｐに発生しているばりを取るばり取り装置６４が設けられている。なお、記録媒体供給装置５８については詳細を後述する。
【００３７】
また、記録媒体供給装置５８の下流側には、記録媒体積載部４８から重なって送り出されたシート部材Ｐを１枚ずつに分離する分離ロール５６が設けられている。分離ロール５６の下流側には、シート部材Ｐを搬送方向下流側に搬送する搬送部材の一例としての搬送ロール５４が複数個設けられている。
【００３８】
記録媒体積載部４８と転写部３２との間に設けられる搬送経路６０は、記録媒体供給装置５８から送り出されたシート部材Ｐを第１折返部６０Ａで図９における左側に折り返し、さらに、第２折返部６０Ｂで図９における右側に折り返すように、二次転写ロール６２と対向ロール４２との間の転写位置Ｔ（画像形成部の一例）へ延びている。
【００３９】
二次転写ロール６２は、給電部（図示省略）によって、トナー極性とは逆極性の転写バイアス電圧が印加されるようになっている。この構成により中間転写ベルト３４に多重転写された各色のトナー画像が、二次転写ロール６２によって、搬送経路６０に沿って搬送されてきたシート部材Ｐに二次転写される構成となっている。
【００４０】
搬送経路６０の第２折返部６０Ｂへ合流するように、第１筐体１０Ａの側面から延びる予備経路６６が設けられている。第１筐体１０Ａに隣接して配置される別の記録媒体収容部（図示省略）から送り出されたシート部材Ｐが予備経路６６を通って搬送経路６０に入り込めるようになっている。
【００４１】
転写位置Ｔの下流側には、トナー画像が転写されたシート部材Ｐを第２筐体１０Ｂに向けて搬送する複数の搬送ベルト７０が第１筐体１０Ａに設けられ、搬送ベルト７０に搬送されたシート部材Ｐを下流側に搬送する搬送ベルト８０が第２筐体１０Ｂに設けられている。
【００４２】
複数の搬送ベルト７０及び搬送ベルト８０のそれぞれは、環状に形成されており、一対の巻掛ロール７２に巻き掛けられている。一対の巻掛ロール７２は、シート部材Ｐの搬送方向上流側と下流側とにそれぞれ配置されており、一方が回転駆動することにより、搬送ベルト７０（搬送ベルト８０）を一方向（図９における時計回り方向）に循環移動させる。
【００４３】
搬送ベルト８０の下流側には、シート部材Ｐの表面に転写されたトナー画像をシート部材Ｐに熱と圧力で定着させる定着ユニット８２が設けられている。
【００４４】
定着ユニット８２は、定着ベルト８４と、定着ベルト８４に対して下側から接触するように配置された加圧ロール８８と、を備えている。定着ベルト８４と加圧ロール８８との間には、シート部材Ｐを加圧加熱してトナー画像を定着させる定着部Ｎが形成されている。
【００４５】
定着ベルト８４は、環状に形成されており、駆動ロール８９及び従動ロール９０に巻き掛けられている。駆動ロール８９は、加圧ロール８８に対して上側から対向しており、従動ロール９０は、駆動ロール８９よりも上側に配置されている。
【００４６】
駆動ロール８９及び従動ロール９０は、それぞれに、ハロゲンヒータ等の加熱部が内蔵されている。これにより、定着ベルト８４が加熱される。
【００４７】
図９に示されるように、定着ユニット８２の下流側には、定着ユニット８２から送り出されたシート部材Ｐを下流側へ搬送する搬送ベルト１０８が設けられている。搬送ベルト１０８は、搬送ベルト７０と同様に形成されている。
【００４８】
搬送ベルト１０８の下流側には、定着ユニット８２によって加熱されたシート部材Ｐを冷却する冷却ユニット１１０が設けられている。
【００４９】
冷却ユニット１１０は、シート部材Ｐの熱を吸収する吸収装置１１２と、シート部材Ｐを吸収装置１１２に押し付ける押付装置１１４とを備えている。吸収装置１１２は、搬送経路６０に対する一方側（図９における上側）に配置され、押付装置１１４は、他方側（図９における下側）に配置されている。
【００５０】
吸収装置１１２は、シート部材Ｐと接触し、シート部材Ｐの熱を吸収する環状の吸収ベルト１１６を備えている。吸収ベルト１１６は、吸収ベルト１１６へ駆動力を伝達する駆動ロール１２０と、複数の巻掛ロール１１８とに巻き掛けられている。
【００５１】
吸収ベルト１１６の内周側には、吸収ベルト１１６と面状に接触して吸収ベルト１１６が吸収した熱を放熱させるアルミニウム材料で形成されたヒートシンク１２２が設けられている。
【００５２】
さらに、ヒートシンク１２２から熱を奪い熱気を外部へ排出させるためのファン１２８が、第２筐体１０Ｂの裏側（図９に示す紙面奥側）に配置されている。
【００５３】
シート部材Ｐを吸収装置１１２に押し付ける押付装置１１４は、シート部材Ｐを吸収ベルト１１６へ押し付けながらシート部材Ｐを搬送する環状の押付ベルト１３０を備えている。押付ベルト１３０は、複数の巻掛ロール１３２に巻き掛けられている。
【００５４】
冷却ユニット１１０の下流側には、シート部材Ｐを挟んで搬送し、シート部材Ｐの湾曲（カール）を矯正する矯正装置１４０が設けられている。
【００５５】
矯正装置１４０の下流側には、シート部材Ｐに定着されたトナー画像のトナー濃度欠陥、画像欠陥、画像位置欠陥等を検出する検出装置１８０が設けられている。
【００５６】
検出装置１８０では、光源からシート部材Ｐへ出射され、シート部材Ｐによって上方に反射された反射光をＣＣＤ（Ｃｈａｒｇｅ  Ｃｏｕｐｌｅｄ  Ｄｅｖｉｃｅ）イメージセンサ等の検出素子で検出することにより、トナー濃度欠陥、画像欠陥、画像位置欠陥等を検出するようになっている。
【００５７】
検出装置１８０の下流側には、片面に画像が形成されたシート部材Ｐを第２筐体１０Ｂの側面に取り付けられた排出部１９６に排出する排出ロール１９８が設けられている。
【００５８】
一方、両面に画像を形成させる場合は、検出装置１８０から送出されたシート部材Ｐは、検出装置１８０の下流側に設けられた反転経路２０２に搬送されるようになっている。
【００５９】
反転経路２０２には、搬送経路６０から分岐する分岐パス２０２Ａと、分岐パス２０２Ａに沿って搬送されるシート部材Ｐを第１筐体１０Ａ側に向けて搬送する用紙搬送パス２０２Ｂと、用紙搬送パス２０２Ｂに沿って搬送されるシート部材Ｐを逆方向に向けて折返してスイッチバック搬送させて表裏を反転させる反転パス２０２Ｃが設けられている。
【００６０】
この構成により、反転パス２０２Ｃでスイッチバック搬送されたシート部材Ｐは、第１筐体１０Ａに向けて搬送され、さらに、記録媒体積載部４８の上方に設けられた搬送経路６０に入り込み、転写位置Ｔへ再度送り込まれるようになっている。
【００６１】
次に、画像形成装置１０の画像形成工程について説明する。
【００６２】
画像信号処理部１３で画像処理が施された画像データが、各露光装置４０に送られる。各露光装置４０では、画像データに応じて各光ビームＬを出射して、スコロトロン帯電器２０によって帯電した各像保持体１８に露光し、静電潜像が形成される。
【００６３】
図８に示されるように、像保持体１８に形成された静電潜像は、現像装置２２によって現像され、第１特別色（Ｖ）、第２特別色（Ｗ）、イエロー（Ｙ）、マゼンタ（Ｍ）、シアン（Ｃ）、ブラック（Ｋ）の各色のトナー画像が形成される。
【００６４】
図９に示されるように、各画像形成ユニット１６Ｖ、１６Ｗ、１６Ｙ、１６Ｍ、１６Ｃ、１６Ｋの感光体２８に形成された各色のトナー画像は、６つの一次転写ロール３６Ｖ、３６Ｗ、３６Ｙ、３６Ｍ、３６Ｃ、３６Ｋによって中間転写ベルト３４に順次多重転写される。
【００６５】
中間転写ベルト３４に多重転写された各色のトナー画像は、二次転写ロール６２によって、記録媒体積載部４８から搬送されてきたシート部材Ｐ上に二次転写される。トナー画像が転写されたシート部材Ｐは、搬送ベルト７０によって第２筐体１０Ｂの内部に設けられた定着ユニット８２に向けて搬送される。
【００６６】
シート部材Ｐ上の各色のトナー画像が定着ユニット８２により加熱・加圧されることでシート部材Ｐに定着する。さらに、トナー画像が定着されたシート部材Ｐは、冷却ユニット１１０を通過して冷却された後、矯正装置１４０に送り込まれ、シート部材Ｐに生じた湾曲が矯正される。
【００６７】
湾曲が矯正されたシート部材Ｐは、検出装置１８０によって画像欠陥等が検出された後、排出ロール１９８によって排出部１９６に排出される。
【００６８】
一方、画像が形成されていない非画像面に画像を形成させる場合（両面印刷の場合）は、検出装置１８０を通過後に、シート部材Ｐが反転経路２０２で反転され、記録媒体積載部４８の上方に設けられた搬送経路６０に送り込まれて、前述した手順で裏面にトナー画像が形成される。
【００６９】
なお、本実施形態に係る画像形成装置１０では、第１特別色及び第２特別色の画像を形成するための部品（画像形成ユニット１６Ｖ・１６Ｗ、露光装置４０Ｖ・４０Ｗ、トナーカートリッジ１４Ｖ・１４Ｗ、一次転写ロール３６Ｖ・３６Ｗ）は、ユーザーの選択により、追加部品として第１筐体１０Ａに装着可能に構成されている。従って、画像形成装置１０としては、第１特別色及び第２特別色の画像を形成するための部品を有さない構成、第１特別色及び第２特別色のうちいずれか１色の画像を形成するための部品のみを有する構成としてもよい。
【００７０】
（要部構成）
次に、記録媒体供給装置５８について説明する。
【００７１】
図１に示されるように、記録媒体供給装置５８には、前述したように内部にシート部材Ｐが積載される箱状の記録媒体積載部４８が設けられ、この記録媒体積載部４８の内部には、シート部材Ｐが載せられる板状の底板５０が配置されている。
【００７２】
さらに、記録媒体積載部４８に対してシート部材Ｐの幅方向（図１に示す矢印Ｗ方向、以下単に「幅方向」と言う場合がある）に移動可能に設けられ、記録媒体積載部４８に積載されたシート部材Ｐの幅方向一端部と当り、積載されたシート部材Ｐを幅方向に揃える揃え部材の一例としてのサイドガイド２１０が設けられている。
【００７３】
また、記録媒体積載部４８に対してシート部材Ｐの長さ方向（図１に示す矢印Ｌ方向）に移動可能に設けられ、記録媒体積載部４８に積載されたシート部材Ｐの後端部と当り、積載されたシート部材Ｐを長さ方向に揃えるエンドガイド２１２が設けられている。なお、サイドガイド２１０及びエンドガイド２１２の移動を可能とするスリットが底板５０に設けられている。
【００７４】
さらに、記録媒体積載部４８において、シート部材Ｐの長さ方向先端側（シート部材Ｐが送り出される側）には、記録媒体積載部４８から送り出されるシート部材Ｐに発生しているばりを取るばり取り装置６４が、設けられている。なお、シート部材Ｐに発生しているばりとは、シート部材Ｐを裁断する際にシート部材Ｐの端部に生じる、シート部材Ｐの厚さ方向に発生する出っ張りである。
【００７５】
図１、図２に示されるように、ばり取り装置６４は、記録媒体積載部４８から送り出されるシート部材Ｐの幅方向の一方の端部に回転しながら接触する第一接触部材の一例としての第一ロール２１４と、シート部材Ｐの幅方向の他方の端部に回転しながら接触する第二接触部材の一例としての第二ロール２１６とを備えている。
【００７６】
図４に示されるように、第一ロール２１４及び第二ロール２１６は、平面視で（上方から見て）、記録媒体積載部４８から送り出されるシート部材Ｐを幅方向外側に引っ張るように配置されている。
【００７７】
詳細には、第一ロール２１４及び第二ロール２１６の回転軸２１４Ａ及び回転軸２１６Ａは、シート部材Ｐの幅方向に対して、シート部材Ｐの幅方向内側から幅方向外側にかけて、シート部材Ｐの搬送方向の下流側から上流側に傾けられている。さらに、第一ロール２１４及び第二ロール２１６の上端側は、記録媒体積載部４８の上端部に設けられた蓋板２１８に形成された開口部２１８Ａ及び開口部２１８Ｂから夫々外部に突出するように設けられている。
【００７８】
また、図１、図２に示されるように、第一ロール２１４及び第二ロール２１６の回転軸２１４Ａ及び回転軸２１６Ａの両端側は、上下方向に延びる板状の支持部材２２０に回転可能に取り付けられている。そして、回転軸２１４Ａ及び回転軸２１６Ａの一端部には、ギア２２４が形成されている。このギア２２４と噛み合うように、上下方向に並べられたギア群２２６が回転自在に支持部材２２０に取り付けられている。
【００７９】
さらに、ギア群２２６を構成すると共に最下端に配置されたギア２２８の回転軸には、駆動原としてのモータ２３０の回転軸が取り付けられており、モータ２３０を駆動させることで、モータ２３０から生じた回転力がギア群２２６を介して第一ロール２１４及び第二ロール２１６に伝達されるようになっている。
【００８０】
また、図２に示されるように、第一ロール２１４及び第二ロール２１６と対向するように、第一ロール２１４及び第二ロール２１６との間で搬送されるシート部材Ｐを挟み込む挟込部材の一例としての対向ロール２３２が、第一ロール２１４及び第二ロール２１６の上方に設けられている。そして、対向ロール２３２の回転軸２３２Ａはシート部材Ｐの幅方向に延びている。
【００８１】
対向ロール２３２に設けられた回転軸２３２Ａの両側には、第１筐体１０Ａ（図９参照）に固定されたＬ字を逆さまにした逆Ｌ字状の支持部材２３４が設けられている。さらに、対向ロール２３２に設けられた回転軸２３２Ａの両端は、支持部材２３４に形成された上下に延びる長孔２３４Ａに挿し通されている。そして、回転軸２３２Ａは、この長孔２３４Ａ内を移動可能とされている。
【００８２】
さらに、対向ロール２３２の長手方向両側には、図示せぬ駆動力で回転する切替部材の一例としてのカム２３６が設けられている。そして、長孔２３４Ａから外側に突出した回転軸２３２Ａの端部は、このカム２３６の外周面に下側から支持されるようになっている。
【００８３】
また、支持部材２３４において外側に折り曲げられた折曲部２３４Ｂと回転軸２３２Ａとの間には、対向ロール２３２を第一ロール２１４及び第二ロール２１６側に付勢する付勢部材の一例としての圧縮ばね２３８が圧縮状態で設けられている。
【００８４】
この構成により、カム２３６の短径部の外周面で対向ロール２３２の回転軸２３２Ａを支持しようとすると回転軸２３２Ａとカム２３６とは離間して、対向ロール２３２は、第一ロール２１４及び第二ロール２１６を押圧する押圧位置（図２参照）となるようになっている。一方、図示せぬ制御部からの指示によりカム２３６を回転させてカム２３６の長径部の外周面で対向ロール２３２の回転軸２３２Ａを支持するときは、対向ロール２３２は、押圧位置から第一ロール２１４及び第二ロール２１６と離間する離間位置（図３参照）に切り替えられるようになっている。
【００８５】
以上より、ばり取り装置６４は、第一ロール２１４、第二ロール２１６、対向ロール２３２、圧縮ばね２３８及びカム２３６を主要部品として構成されている。
【００８６】
さらに、図１に示されるように、第一ロール２１４が取り付けられた一対の支持部材２２０の下端部とサイドガイド２１０の下端部とを接続する連動部材の一例としての接続部材２４０が、底板５０の下側に設けられている。
【００８７】
この構成により、図４、図５に示されるように、接続部材２４０は、第一ロール２１４及び第二ロール２１６をシート部材Ｐの幅方向の端部と接触させる位置に、サイドガイド２１０の移動と連動させて第一ロール２１４を移動させるようになっている。
【００８８】
また、図７に示されるように、記録媒体積載部４８の背面（記録媒体積載部４８が第１筐体１０Ａに取り付けられた際に奥側を向く面）には、モータ２３０（図１参照）に電気を供給するために第１筐体１０Ａに固定されたコネクタ（図示省略）と接続されるコネクタ２４２が設けられている。
【００８９】
さらに、コネクタ２４２が第１筐体側１０Ａ側のコネクタとの接続位置に案内されるように、記録媒体積載部４８の背面には、記録媒体積載部４８が第１筐体１０Ａに収納された際に第１筐体１０Ａに設けられた凹部に嵌る凸状の位置決めピン２４４が２個設けられている。つまり、この構成により、第１筐体１０Ａに対する記録媒体積載部４８の収納位置が決まり、効率良くコネクタ２４２が第１筐体１０Ａに固定されたコネクタに接続されるようになっている。
【００９０】
以上より、記録媒体供給装置５８は、記録媒体積載部４８、サイドガイド２１０、ばり取り装置６４及び接続部材２４０を主要部品として構成されている。
【００９１】
（作用）
次に、ばり取り装置６４及びこのばり取り装置６４を備えた記録媒体供給装置５８の作用について説明する。
【００９２】
図２に示されるように、対向ロール２３２の回転軸２３２Ａをカム２３６の短径部の外周面で支持しようとすると回転軸２３２Ａとカム２３６とは離間し、対向ロール２３２は第一ロール２１４及び第二ロール２１６を押圧する押圧位置に配置されている。
【００９３】
そして、図１、図２、図６に示されるように、回転運動する送出ロール５２（図９参照）は、記録媒体積載部４８に積載された最上位のシート部材Ｐを下流側に送り出す。さらに、記録媒体積載部４８から送り出されるシート部材Ｐは、回転する第一ロール２１４及び第二ロール２１６と対向ロール２３２との間に挟まれながらさらに下流側に搬送される。
【００９４】
ここで、圧縮ばね２３８の付勢力が伝達された対向ロール２３２は、シート部材Ｐの幅方向の端部を第一ロール２１４の外表面又は第二ロール２１６の外表面に押し付ける。
【００９５】
さらに、前述したように、第一ロール２１４の回転軸２１４Ａ及び第二ロール２１６の回転軸２１６Ａは、シート部材Ｐの幅方向内側から幅方向外側にかけて、シート部材Ｐの搬送方向の下流側から上流側に傾けられている（図６参照）。これにより、第一ロール２１４及び第二ロール２１６と対向ロール２３２との間で搬送されるシート部材Ｐは、幅方向外側に引っ張られながら下流側に搬送される。
【００９６】
以上説明したように、シート部材Ｐの幅方向の端部が第一ロール２１４の外表面又は第二ロール２１６の外表面に押し付けられることで、切断時にシート部材Ｐの幅方向の端部に生じたばりが押しつぶされて除去される（ばり取りされる）。
【００９７】
また、搬送されるシート部材Ｐが幅方向外側に引っ張られながら下流側に搬送されるため、シート部材Ｐに生じるシワが抑制される。
【００９８】
また、図示せぬ制御部からの指示によりカム２３６を回転させることで、対向ロール２３２は、押圧位置から第一ロール２１４及び第二ロール２１６と離間する離間位置（図３参照）に切り替えられる。このため、シート部材Ｐのばり取りが不要な際には、対向ロール２３２を離間位置に切り替えることで、第一ロール２１４及び第二ロール２１６に対する負荷が軽減される。
【００９９】
また、第一ロール２１４及び第二ロール２１６に負荷される荷重が軽減されることで、第一ロール２１４及び第二ロール２１６の寿命が伸ばされる。
【０１００】
また、接続部材２４０が、第一ロール２１４及び第二ロール２１６をシート部材Ｐの幅方向の端部と接触させるように、サイドガイド２１０の移動と連動させて第一ロール２１４を移動させる。このため、シート部材Ｐの大きさに応じて、ばり取りしながら搬送されるシート部材Ｐに生じるシワが抑制される。
【０１０１】
また、搬送されるシート部材Ｐのばりが除去されているため、ばり取り装置６４の下流側に設けられた搬送ロール５４の損傷が抑制される。
【０１０２】
次ぎに、本発明の第２実施形態に係るばり取り装置、記録媒体供給装置及び画像形成装置の一例を図１０〜図１２に従って説明する。なお、第１実施形態と同一部材については、同一符号を付してその説明を省略する。
【０１０３】
図１０に示されるように、本第２実施形態に係る記録媒体供給装置２５０には、記録媒体積載部４８に対してシート部材Ｐの幅方向に移動可能に設けられ、記録媒体積載部４８に積載されたシート部材Ｐの幅方向一端部と当り積載されたシート部材Ｐの幅方向を揃える揃え部材の一例としての第一サイドガイド２５２と、シート部材Ｐの幅方向に移動可能に設けられ、記録媒体積載部４８に積載されたシート部材Ｐの幅方向他端部と当り積載されたシート部材Ｐの幅方向を揃える揃え部材の一例としての第二サイドガイド２５４とを備えている。
【０１０４】
さらに、第一サイドガイド２５２及び第二サイドガイド２５４の下端と、第一ロール２１４を支持する支持部材２２０及び第二ロール２１６を支持する支持部材２２０の下端との間には、第一ロール２１４及び第二ロール２１６をシート部材Ｐの幅方向の端部と接触させるように、第一サイドガイド２５２及び第二サイドガイド２５４の移動と連動させて第一ロール２１４及び第二ロール２１６を移動させる連動部材の一例としての連動装置２５６が設けられている。
【０１０５】
詳細には、連動装置２５６は、第一サイドガイド２５２の下端と第一ロール２１４を支持する支持部材２２０の下端とを接続する板状の接続部材２５８と、第二サイドガイド２５４の下端と第二ロール２１６を支持する支持部材２２０の下端とを接続する板状の接続部材２６０と、接続部材２５８と接続部材２６０との間に設けられたラックアンドピニオン機構２６２とを備えている。
【０１０６】
そして、ラックアンドピニオン機構２６２は、接続部材２５８に基端部が固定されて先端部が接続部材２６０に向けて延びる第一ラックギア２６４と、接続部材２６０に基端部が固定されて先端部が接続部材２５８に向けて延びる第二ラックギア２６６と、第一ラックギア２６４及び第二ラックギア２６６と噛み合うと共に、第一ラックギア２６４と第二ラックギア２６６との間に配置され、記録媒体積載部４８の底板に回転可能に取り付けられたピニオンギア２６８とを備えている。
【０１０７】
以上の構成により、図１１、図１２に示されるように、連動装置２５６は、第一ロール２１４及び第二ロール２１６をシート部材Ｐの幅方向の端部と接触させるように、第一サイドガイド２５２及び第二サイドガイド２５４の移動と連動させて第一ロール２１４及び第二ロール２１６とを移動させる。
【０１０８】
次ぎに、本発明の第３実施形態に係るばり取り装置、記録媒体供給装置及び画像形成装置の一例を図１３に従って説明する。なお、第１実施形態と同一部材については、同一符号を付してその説明を省略する。
【０１０９】
図１３に示されるように、本第３実施形態に係るばり取り装置２７０には、第一ロール２１４及び第二ロール２１６との間で搬送されるシート部材Ｐを挟み込む対向ロールは設けられておらず、それに替えて挟込部材の一例としての対向板２７２が設けられている。
【０１１０】
詳細には、対向板２７２は平板を折り曲げて形成されている。そして、対向板２７２には、第一ロール２１４及び第二ロール２１６との間で搬送されるシート部材Ｐを挟み込む搬送部２７２Ａと、搬送されるシート部材Ｐの先端を第一ロール２１４及び第二ロール２１６と搬送部２７２Ａとの間に案内する案内部２７２Ｂとが設けられている。
【０１１１】
さらに、第一ロール２１４を支持する一対の支持部材２２０には、シート部材Ｐの搬送方向に突出する突出片２２０Ａが設けられている。そして、この突出片２２０Ａの下面には、支持部材２２０を介して第一ロール２１４を対向板２７２に向けて付勢する付勢部材の一例としての圧縮ばね２７４の一端が固定されている。
【０１１２】
なお、第二ロール２１６を支持する支持部材２２０も同様の構成となっており、第二ロール２１６は、圧縮ばね２７４の付勢力で対向板２７２に向けて付勢されている。
【０１１３】
なお、本発明を特定の実施形態について詳細に説明したが、本発明はかかる実施形態に限定されるものではなく、本発明の範囲内にて他の種々の実施形態が可能であることは当業者にとって明らかである。例えば、上記第１、第２、第３実施形態では、ばり取り装置を記録媒体供給装置に設けた場合を例にとって説明したが、特に記録媒体供給装置に限定されることなく第１筐体１０Ａ内のシート部材Ｐの搬送経路に設ければよい。
【０１１４】
また、上記第１、第２、第３実施形態では、第一ロール２１４及び第二ロール２１６に回転力を付与するモータ２３０が設けられる構成を例にとって説明したが、特に第一ロール及び第二ロールに回転力を付与する必要はなく第一ロール及び第二ロールは回転自在であればよい。
【０１１５】
また、上記第１実施形態では、対向ロール２３２を上方に移動させて第一ロール２１４及び第二ロール２１６と対向ロール２３２とを離間させたが、第一ロール及び第二ロールを移動させて、第一ロール及び第二ロールと対向ロールとを離間させてもよい。
【符号の説明】
【０１１６】
１０          画像形成装置
４８          記録媒体積載部
５４          搬送ロール（搬送部材の一例）
６４          ばり取り装置
２１０        サイドガイド（揃え部材の一例）
２１４        第一ロール（第一接触部材の一例）
２１６        第二ロール（第二接触部材の一例）
２３２        対向ロール（挟込部材の一例）
２３６        カム（切替部材の一例）
２３８        圧縮ばね（付勢部材の一例）
２４０        接続部材（連動部材の一例）
２５０        記録媒体供給装置
２５２        第一サイドガイド（揃え部材の一例）
２５４        第二サイドガイド（揃え部材の一例）
２５６        連動装置（連動部材の一例）
２７０        はり取り装置
２７２        対向板（挟込部材の一例）
２７４        圧縮ばね（付勢部材の一例）
【図１】
0005891581.tif 000002
【図２】
0005891581.tif 000003
【図３】
0005891581.tif 000004
【図４】
0005891581.tif 000005
【図５】
0005891581.tif 000006
【図６】
0005891581.tif 000007
【図７】
0005891581.tif 000008
【図８】
0005891581.tif 000009
【図９】
0005891581.tif 000010
【図１０】
0005891581.tif 000011
【図１１】
0005891581.tif 000012
【図１２】
0005891581.tif 000013
【図１３】
0005891581.tif 000014